(57)【要約】      （修正有）【課題】ビーズの収容空間を大きくした場合でも、ビーズをうまく排出することができるビーズ通し玩具を提供する。【解決手段】ビーズを収容可能であり、かつ、ビーズを外部に排出するための排出口が底部に形成されたビーズ収容部と、ビーズ収容部内で水平方向に回転し、ビーズ収容部に収容されたビーズを排出口に導くための回転板２２と、ビーズ収容部の下方で糸を保持するとともに、保持した糸に排出口から排出されたビーズを案内するための糸保持手段と、を備えた。回転板２２は、周方向に複数の突出部２４を有し、この複数の突出部２４のうちの１以上の突出部２４ａの形状は、他の突出部２４ｂの形状と異なるようにした。【選択図】図５
0003164961.tif 000002
【実用新案登録請求の範囲】
【請求項１】
ビーズを収容可能であり、かつ、ビーズを外部に排出するための排出口が底部に形成されたビーズ収容部と、
前記ビーズ収容部内で水平方向に回転し、前記ビーズ収容部に収容されたビーズを前記排出口に導くための回転板と、
前記ビーズ収容部の下方で糸を保持するとともに、保持した糸に前記排出口から排出されたビーズを案内するための糸保持手段と、
を備え、
前記回転板は、周方向に複数の突出部を有するとともに、この複数の突出部のうちの１以上の突出部の形状は、他の突出部の形状と異なることを特徴とする、ビーズ通し玩具。
【請求項２】
前記複数の突出部のうちの少なくとも１以上の突出部は、前記排出口を覆い隠さない限度で前記排出口の端縁まで突出していることを特徴とする、請求項１記載のビーズ通し玩具。
【請求項３】
前記複数の突出部のうちの少なくとも１以上の突出部は、前記排出口を覆い隠すことが可能であることを特徴とする、請求項１又は２記載のビーズ通し玩具。
【請求項４】
前記回転板の表面には複数の段差が設けられていることを特徴とする、請求項１〜３のいずれかに記載のビーズ通し玩具。
【請求項５】
前記ビーズ収容部は隔壁により仕切られており、この隔壁に前記回転板が通過可能な隙間を設けたことを特徴とする、請求項１〜４のいずれかに記載のビーズ通し玩具。
【請求項６】
前記隙間をビーズの幅よりも低く形成したことを特徴とする、請求項５記載のビーズ通し玩具。
【請求項７】
前記ビーズ収容部は、隔壁を有する部屋形成部材により複数の部屋に分割され、
前記部屋形成部材は、前記回転板と別個に回転可能に形成され、
前記部屋形成部材を回転させて前記複数の部屋のうちの任意の部屋の底部に前記排出口を配置することで、この任意の部屋に収容されたビーズを前記排出口から排出可能であることを特徴とする、請求項１〜４のいずれかに記載のビーズ通し玩具。
【請求項８】
前記隔壁に前記回転板が通過可能な隙間を設けたことを特徴とする、請求項７記載のビーズ通し玩具。
【請求項９】
前記隙間をビーズの幅よりも低く形成したことを特徴とする、請求項８記載のビーズ通し玩具。
【請求項１０】
前記部屋形成部材を回転させたときに、前記複数の部屋のいずれかの底部に前記排出口が位置するように前記部屋形成部材の回転を規制する回転規制部を設けたことを特徴とする、請求項７〜９のいずれかに記載のビーズ通し玩具。
【考案の詳細な説明】
【技術分野】
【０００１】
この考案は、ビーズ収容部に収容したビーズを順次排出し、排出したビーズを糸に通してビーズアクセサリーを作製するためのビーズ通し玩具に関するものである。
【背景技術】
【０００２】
従来、ビーズを収容したビーズ収容部の下方に針体を設け、ビーズ収容部から排出されたビーズが針体を介して糸へと案内されるビーズ通し玩具が知られている。
【０００３】
例えば、特許文献１に開示されているビーズ通し玩具では、ビーズを収容する収容凹部の底壁に案内口を形成し、更に収容凹部内のビーズを案内口に導く案内部材が回転自在に設けられている。そして、案内部材を回転させることで、収容凹部に収容されたビーズが案内口に導かれ、通し軸（針体）に案内されるようになっている。
【先行技術文献】
【特許文献】
【０００４】
【特許文献１】特許第３７２２７５５号公報
【考案の概要】
【考案が解決しようとする課題】
【０００５】
しかし、上記した特許文献１記載のビーズ通し玩具では、案内部材が単に収容凹部のビーズを撹拌しているに過ぎないため、撹拌されて流動するビーズの軌道が定まってしまい、いつまでたってもビーズが案内口に入らない場合があるという問題があった。
【０００６】
そこで、本考案は、撹拌されて流動するビーズの軌道を不規則に変化させることができ、ビーズをうまく排出口に導くことができるビーズ通し玩具を提供することを課題とする。
【課題を解決するための手段】
【０００７】
本考案は、上記した課題を解決するためになされたものであり、以下を特徴とする。
【０００８】
（請求項１）
請求項１に記載の考案は、以下の点を特徴とする。
【０００９】
すなわち、請求項１に記載のビーズ通し玩具は、ビーズを収容可能であり、かつ、ビーズを外部に排出するための排出口が底部に形成されたビーズ収容部と、前記ビーズ収容部内で水平方向に回転し、前記ビーズ収容部に収容されたビーズを前記排出口に導くための回転板と、前記ビーズ収容部の下方で糸を保持するとともに、保持した糸に前記排出口から排出されたビーズを案内するための糸保持手段と、を備え、前記回転板は、周方向に複数の突出部を有するとともに、この複数の突出部のうちの１以上の突出部の形状は、他の突出部の形状と異なることを特徴とする。
【００１０】
（請求項２）
請求項２に記載の考案は、上記した請求項１記載の考案の特徴点に加え、以下の点を特徴とする。
【００１１】
すなわち、前記複数の突出部のうちの少なくとも１以上の突出部は、前記排出口を覆い隠さない限度で前記排出口の端縁まで突出していることを特徴とする。
【００１２】
（請求項３）
請求項３に記載の考案は、上記した請求項１又は２記載の考案の特徴点に加え、以下の点を特徴とする。
【００１３】
すなわち、前記複数の突出部のうちの少なくとも１以上の突出部は、前記排出口を覆い隠すことが可能であることを特徴とする。
【００１４】
（請求項４）
請求項４に記載の考案は、上記した請求項１〜３のいずれかに記載の考案の特徴点に加え、以下の点を特徴とする。
【００１５】
すなわち、前記回転板の表面には複数の段差が設けられていることを特徴とする。
【００１６】
（請求項５）
請求項５に記載の考案は、上記した請求項１〜４のいずれかに記載の考案の特徴点に加え、以下の点を特徴とする。
【００１７】
すなわち、前記ビーズ収容部は隔壁により仕切られており、この隔壁に前記回転板が通過可能な隙間を設けたことを特徴とする。
【００１８】
（請求項６）
請求項６に記載の考案は、上記した請求項５記載の考案の特徴点に加え、以下の点を特徴とする。
【００１９】
すなわち、前記隙間をビーズの幅よりも低く形成したことを特徴とする。
【００２０】
（請求項７）
請求項７に記載の考案は、上記した請求項１〜４のいずれかに記載の考案の特徴点に加え、以下の点を特徴とする。
【００２１】
すなわち、前記ビーズ収容部は、隔壁を有する部屋形成部材により複数の部屋に分割され、前記部屋形成部材は、前記回転板と別個に回転可能に形成され、前記部屋形成部材を回転させて前記複数の部屋のうちの任意の部屋の底部に前記排出口を配置することで、この任意の部屋に収容されたビーズを前記排出口から排出可能であることを特徴とする。
【００２２】
（請求項８）
請求項８に記載の考案は、上記した請求項７記載の考案の特徴点に加え、以下の点を特徴とする。
【００２３】
すなわち、前記隔壁に前記回転板が通過可能な隙間を設けたことを特徴とする。
【００２４】
（請求項９）
請求項９に記載の考案は、上記した請求項８記載の考案の特徴点に加え、以下の点を特徴とする。
【００２５】
すなわち、前記隙間をビーズの幅よりも低く形成したことを特徴とする。
【００２６】
（請求項１０）
請求項１０に記載の考案は、上記した請求項７〜９のいずれかに記載の考案の特徴点に加え、以下の点を特徴とする。
【００２７】
すなわち、前記部屋形成部材を回転させたときに、前記複数の部屋のいずれかの底部に前記排出口が位置するように前記部屋形成部材の回転を規制する回転規制部を設けたことを特徴とする。
【考案の効果】
【００２８】
請求項１記載の考案によれば、ビーズ収容部内で水平方向に回転し、ビーズ収容部に収容されたビーズを排出口に導くための回転板が、周方向に複数の突出部を有するとともに、この複数の突出部のうちの１以上の突出部の形状は、他の突出部の形状と異なっている。このため、回転板を回転させたときに回転板の突出部が不規則にビーズを撹拌するので、撹拌されて流動するビーズの軌道を不規則に変化させることができ、ビーズをうまく排出口に導くことができる。
【００２９】
また、請求項２記載の考案によれば、排出口を覆い隠さない限度で排出口の端縁まで突出した突出部を備えている。このため、回転板が回転したときに回転板の外周に沿ってビーズが移動し、すなわち、ビーズが当該突出部の先端方向に移動すると、この先端位置に排出口が形成されているため、ビーズを排出口へと導き易くすることができる。
【００３０】
また、請求項３記載の考案によれば、排排出口を覆い隠すことが可能な突出部を備えているため、回転板が回転したときにより多くのビーズを撹拌することができるので、ビーズの流動性を高めることができる。
【００３１】
また、請求項４記載の考案によれば、回転板の表面には複数の段差が設けられているため、より激しくビーズ収容部内のビーズを動かすことができ、流動するビーズの軌道を変化させてうまく排出口に導くことができる。
【００３２】
また、請求項５記載の考案によれば、前記ビーズ収容部は隔壁により仕切られており、この隔壁に前記回転板が通過可能な隙間を設けたため、ビーズ収容部を隔壁によって仕切った場合でも、回転板を回転させることができる。
【００３３】
また、請求項６記載の考案によれば、前記隙間をビーズの幅よりも低く形成したため、請求項５に係る隔壁を設けた場合でも、ビーズが隙間から通過してしまうことを防止できる。
【００３４】
また、請求項７記載の考案によれば、ビーズ収容部は、隔壁を有する部屋形成部材により複数の部屋に分割され、前記部屋形成部材は、前記回転板と別個に回転可能に形成され、前記部屋形成部材を回転させて前記複数の部屋のうちの任意の部屋の底部に前記排出口を配置することで、この任意の部屋に収容されたビーズを前記排出口から排出可能となっている。このため、各部屋に異なる種類のビーズを収容するとともに、選んだ部屋に収容されているビーズを通すことができるので、デザインを考慮しながらビーズアクセサリーを作ることができる。しかも、このように複数の部屋に分割してビーズ収容部が大きくなっているが、請求項１〜４に記載したように、回転板の回転によりビーズをうまく排出することができるようになっているので、ビーズ収容部を大きくしてもビーズが排出口に入りにくくなるという問題が発生しない。
【００３５】
また、請求項８記載の考案によれば、前記隔壁に前記回転板が通過可能な隙間を設けたため、ビーズ収容部を隔壁によって仕切った場合でも、回転板を回転させることができる。
【００３６】
また、請求項９記載の考案によれば、前記隙間をビーズの幅よりも低く形成したため、ビーズが隙間から通過してしまうことを防止できる。。
【００３７】
また、請求項１０記載の考案によれば、部屋形成部材を回転させたときに、前記複数の部屋のいずれかの底部に前記排出口が位置するように前記部屋形成部材の回転を規制する回転規制部が設けられている。このため、回転板を回転させたときに、その摩擦で一緒に部屋形成部材が回転しないようになっており、選んだ部屋に収容されているビーズを確実に排出口から排出して通すことができる。
【図面の簡単な説明】
【００３８】
【図１】ビーズ通し玩具の外観図である。
【図２】ビーズ通し玩具の一部断面図である。
【図３】ビーズ収容部の平面図である。
【図４】回転板の平面図である。
【図５】回転板の斜視図である。
【図６】針状部材の外観図である。
【図７】留具の（ａ）外観図（ｂ）分解図である。
【図８】糸に留具を取り付ける様子を示す図であって、（ａ）取り付け前の図（ｂ）取り付け後の図である。
【図９】排出口から排出されたビーズが糸に通される様子を示す説明図である。
【図１０】隔壁の下の隙間について説明するための断面図である。
【図１１】回転板が隔壁の下の隙間を通過する様子を示す図であって、ビーズ収容部の断面図である。
【図１２】回転板に沿ってビーズが排出口へと導かれる様子を説明するための図であって、ビーズ収容部の平面図である。
【考案を実施するための形態】
【００３９】
本考案の実施形態について、図を参照しつつ説明する。
【００４０】
本実施形態に係るビーズ通し玩具１０は、ビーズ収容部１２に収容されたビーズを順次外部に排出し、順次排出されたビーズが糸に通され、最終的にビーズアクセサリーを作製するためのものである。
【００４１】
具体的には、本実施形態に係るビーズ通し玩具１０は、図１に示すように、上部にビーズ収容部１２を形成する本体１１と、この本体１１の上部に回転可能に固定されて前記本体１１とともにビーズ収容部１２を形成する部屋形成部材２０と、ビーズ収容部１２内で水平方向に回転可能な回転板２２と、回転板２２を回転させるための回転レバー２１と、ビーズ収容１２部の下方で糸を保持するための針状部材２９（糸保持手段）と、を備えている。
【００４２】
（本体１１）
本体１１は、ビーズ通し玩具１０のベースとなる部材であり、前述したように、上部にビーズを収容するためのビーズ収容部１２が形成されている。このビーズ収容部１２は、図１に示すように、本体１１の上面に筒状の部屋形成部材２０が配置されることにより形成されており、このビーズ収容部１２の底部１３（すなわち、本体１１の上面）には、ビーズを外部に排出するための排出口１３ｂが形成されている。そして、排出口１３ｂからビーズ収容部１２の外に排出されたビーズは、本体１１の内部を通過して下方へと排出されて、ビーズ収容部１２の下方で糸を保持する針状部材２９を通るようになっている。
【００４３】
このように、本体１１の上面がビーズ収容部１２の底部１３を形成しており、このビーズ収容部１２の底部１３を形成する上面には排出口１３ｂが下方に向けて開口している。なお、この排出口１３ｂの周縁には、図２及び図３に示すように、開口方向に傾斜した傾斜部１３ａが形成されており、排出口１３ｂ付近のビーズが排出口１３ｂへと落下しやすいように形成されている。
【００４４】
この排出口１３ｂの下部には、図１に示すように、回転部材１７が設けられている。この回転部材１７の四方には、外周方向にビーズ貫通軸１７ａが突出形成されており、このビーズ貫通軸１７ａのうちの上位置にあるビーズ貫通軸１７ａは、図３に示すように、排出口１３ｂの下方で上方に突き出されてビーズを待ち受けている。そして、排出口１３ｂからビーズＡが排出されると、この上位置にあるビーズ貫通軸１７ａは、図２に示すように、ビーズＡを貫通して保持する。
【００４５】
ところで、この回転部材１７は、本体１１の内部で回転可能に軸支されており、後述するように、回転レバー２１が回転させられたときに連動して縦方向に回転するものである。このため、上記したようにビーズ貫通軸１７ａがビーズＡを貫通して保持した状態で回転部材１７が回転すると、ビーズ貫通軸１７ａに貫通保持されたビーズＡが順次下方へと送りだされることとなる。なお、この回転部材１７は、図１に示すように、本体１１の中央に設けられた透視窓１６を介して回転が見えるようになっており、どのビーズが次に糸に通されるかを見ることができるとともに、回転機構のメカ的な面白さが視覚的に把握できるように形成されている。
【００４６】
また、この回転部材１７の更に下方には、図１に示すように、針先端固定部１８及び針保持部１９が設けられており、この針先端固定部１８及び針保持部１９によって、針先部３２（図６参照）が上方を向くように針状部材２９を保持できるようになっている。
【００４７】
針先端固定部１８は、針状部材２９の針先部３２付近を保持するためのものであり、後述するように、回転部材１７から供給されたビーズが確実に針状部材２９を通るように、回転部材１７の回転に合わせて針状部材２９の針先部３２付近を挟持するようになっている。なお、この針先端固定部１８は、回転レバー２１が回転させられたときに連動して開く方向に動作するようになっており、針状部材２９の針先部３２付近を挟持してビーズが針先部３２を通った後に開く方向に動作する。このように針状部材２９の保持を解除することで、ビーズが針状部材２９の下方へと落下できるように形成されている。
【００４８】
針保持部１９は、針状部材２９の被保持部３１（図６参照）を保持するためのものであり、図示しない付勢手段により閉じる方向に付勢されており、これにより針状部材２９の被保持部３１を挟持するようになっている。
【００４９】
（部屋形成部材２０）
部屋形成部材２０は、上記したように、本体１１と一緒にビーズ収容部１２を形成するものであり、図１〜３に示すように、筒状の周壁２０ａがビーズ収容部１２の周壁を形成している。
【００５０】
この部屋形成部材２０は、図２に示すように、周壁２０ａの下端付近の外周部に周溝２０ｃが形成されており、この周溝２０ｃが本体１１の周突起１５と係合することにより、部屋形成部材２０は水平方向に回転可能に形成されている。この部屋形成部材２０は、中央に円形の軸支孔２０ｅを有しており、この軸支孔２０ｅで後述する回転レバー２１や回転板２２の回転を支えているものの、回転方向に係合するものではないため、回転レバー２１や回転板２２とは別個に回転可能に形成されている。
【００５１】
また、この部屋形成部材２０は、図２に示すように、内部を均等に分割する隔壁２０ｂを有しており、この隔壁２０ｂによって、ビーズ収容部１２が複数の部屋に分割されるようになっている。
【００５２】
また、この部屋形成部材２０の下面には、図２に示すように、凸部２０ｄが下方に突出形成されており、この凸部２０ｄは、部屋形成部材２０が所定角度回転させられたときに本体１１の上面に形成された凹部１４と係合するようになっている。具体的には、部屋形成部材２０が回転させられて、部屋形成部材２０が形成する複数の部屋のいずれかの底部１３に排出口１３ｂが位置したときに、凸部２０ｄと凹部１４とが係合して部屋形成部材２０の回転が規制されるようになっており、すなわち、この凸部２０ｄと凹部１４とが部屋形成部材２０の回転を規制する回転規制部として機能するようになっている。なお、この凸部２０ｄと凹部１４との係合は緩やかなものであり、部屋形成部材２０を回転させるように少し力を加えれば容易に係合が外れるようになっている。
【００５３】
（回転板２２）
回転板２２は、ビーズ収容部１２内で回転してビーズ収容部１２に収容されたビーズを排出口１３ｂに導くためのものであり、図４及び図５に示すように、中央が隆起した盤状の部材である。この回転板２２は、図２に示すように、中心位置に軸係合部２３を有しており、この軸係合部２３が回転レバー２１の軸部２１ａと係合することにより、回転レバー２１が回転操作されたときに軸係合部２３を中心に回転可能に形成されている。この回転板２２は、ビーズ収容部１２内で回転することにより、ビーズ収容部１２内でビーズを撹拌し、ビーズを流動させる。
【００５４】
この回転板２２は、図４及び図５に示すように、周方向に４つの突出部２４を有しており、この４つの突出部２４は、突出度合いが相対的に小さい小突出部２４ａと、突出度合いが相対的に大きい大突出部２４ｂと、がそれぞれ２つで構成されている。そして、この２種類の異なる形状の突出部２４が交互となるように配置されている。
【００５５】
また、この回転板２２の表面には２段の段差が設けられている。すなわち、この回転板２２の表面は、中央付近で最も上に位置する上平坦部２５と、上平坦部２５の周端縁から外側下方に傾斜した上傾斜部２６と、上傾斜部２６の周端縁から延設される下平坦部２７と、下平坦部２７の周端縁から外側下方に傾斜した下傾斜部２８と、を有しており、これらの平坦部及び傾斜部で２段の段差を形成している。なお、図４及び図５に示すように、小突出部２４ａ付近では、突出度合いが相対的に小さいことに起因して段差が形成されていないが、このように、段差は回転板２２の一部に形成されていればよい。
【００５６】
このように、本実施形態に係る回転板２２は、異なる形状の突出部２４を有し、表面に複数の段差が設けられているため、ビーズ収容部１２内で回転したときに不規則にビーズを動かすとともに、効率良くビーズを排出口１３ｂへと導くことができるようになっている。
【００５７】
すなわち、前述した大突出部２４ｂは、図３などに示すように、排出口１３ｂを覆い隠すことができるように、周壁２０ａの内側ぎりぎりの位置まで突出しており、この大突出部２４ｂが回転したときに、大突出部２４ｂが通過した位置にあるほぼすべてのビーズに作用して、ビーズを流動させるように形成されている。
【００５８】
そして、小突出部２４ａは、図３などに示すように、排出口１３ｂを覆い隠さない限度で、排出口１３ｂの端縁ぎりぎりまで突出しており、この小突出部２４ａが排出口１３ｂ付近を通過することで、通過位置にあるビーズを排出口１３ｂの方向へと導くように形成されている。すなわち、図１２に示すように、回転板２２が回転することで、回転板２２の外周に沿ってビーズが移動するとともに（矢印Ｍ１参照）、回転板２２の段差に沿ってビーズが移動し（矢印Ｍ２参照）、これによってビーズが小突出部２４ａの先端方向に移動する。そして、この小突出部２４ａの先端ぎりぎりの位置に排出口１３ｂが形成されているため、小突出部２４ａの先端方向へと移動させられたビーズは、排出口１３ｂへと導かれる。
【００５９】
このように、大突出部２４ｂでビーズを撹拌し、小突出部２４ａでビーズを排出口１３ｂへと導くことで、効率良くビーズを排出口１３ｂへと導くようになっている。
【００６０】
なお、これらの突出部２４は、前述した隔壁２０ｂを通過して回転する必要があるため、図１０（ａ）に示すように、前述した隔壁２０ｂの下には、これらの突出部２４が通過可能な隙間が形成されている。詳しくは、隔壁２０ｂの下端部を大突出部２４ｂの稜線に沿って形成することで、大突出部２４ｂ及び小突出部２４aが隔壁２０ｂの下を通過可能なように形成されている。
【００６１】
このとき、下平坦部２７と下傾斜部２８とで形成される大突出部２４ｂの先端部の段差の高さＤ（図１０（ａ）参照）は、ビーズＡの幅よりも低く設定されている。そして、隔壁２０ｂの下の隙間は、段差の高さＤよりも僅かだけ高く形成されているため、図１０（ｂ）に示すように、この隔壁２０ｂの下の隙間をビーズＡが通過できないようになっている。これにより、ビーズＡが隔壁２０ｂの隙間から通過して他の部屋へ移動してしまうことがないように形成されている。
【００６２】
また、これらの突出部２４の回転方向（進行方向）の立ち上がりは、図５等に示すように、下傾斜部２８が設けられて傾斜している。このため、回転板２２を回転させたときに、突出部２４によって流動させられるビーズＡが傾斜に沿って上方向へと乗り上げるように形成されている。このため、図１１に示すように、ビーズＡが隔壁２０ｂの下の隙間の方向に押し込まれたとしても、ビーズＡが隔壁２０ｂの下の隙間に嵌り込んでしまわないようになっている。すなわち、回転板２２が回転して隔壁２０ｂの下の隙間を通るときに、図１１（ｂ）に示すように、回転板２２と隔壁２０ｂとでビーズＡが挟み込まれる場合があるが、このとき、図１１（ｃ）に示すように、ビーズＡが下傾斜部２８に沿って上方向へ押し出されるため、ビーズＡが隔壁２０ｂの下の隙間に嵌り込んでしまうことを回避することができる。
【００６３】
（針状部材２９）
針状部材２９は、ビーズ収容部１２の下方で糸を保持するとともに、保持した糸に前記排出口１３ｂから排出されたビーズを案内するためのものである。この針状部材２９は、図６に示すように、針先部３２がやや細くなってビーズが通り易く形成されている。
【００６４】
一方、この針先部３２とは反対側には、糸を保持するための糸孔３０が形成されている。この糸孔３０は、略円形の拡開部３０ａと、長孔の幅狭部３０ｂと、から形成されている。なお、この針状部材２９に保持される糸は、拡開部３０ａよりも直径が小さく、幅狭部３０ｂよりも直径が大きいものが使用される。このため、拡開部３０ａに通した糸を幅狭部３０ｂの方向に引っ張ることで、幅狭部３０ｂで糸を挟んで保持できるようになっている。
【００６５】
なお、針状部材２９の基部付近は一部縮径して被保持部３１が形成されており、この被保持部３１が上述した針保持部１９で保持されることにより、本体１１に針状部材２９を装着することができるようになっている。
【００６６】
（ビーズ通し玩具１０の使用方法）
本実施形態に係るビーズ通し玩具１０を使用して糸にビーズを通す場合には、図７に示すような留具３３を使用する。
【００６７】
この留具３３は、ビーズが糸から外れてしまうのを留めるためのものであり、図７（ａ）に示すように、この例においてはリボン形でビーズアクサリーの一部として使用できるようになっている。この留具３３は、基部３４と、基部３４の左右に嵌め込まれる２つの嵌込部３５と、から構成されており、基部３４と嵌込部３５とで糸を挟み込んで保持するようになっている。
【００６８】
基部３４は、糸を通すための糸保持孔３４ａと、糸保持孔３４ａに通した糸を留具３３の側方もしくは上方へと導くための３４ｂと、嵌込部３５を嵌め込み固定するための差込孔３４ｃと、を有している。
【００６９】
一方、嵌込部３５は、糸保持孔３４ａに嵌め込まれる糸保持突起３５ａと、差込孔３４ｃに嵌め込まれる差込突起３５ｂと、を有している。
【００７０】
この留具３３を使用する場合には、図８（ａ）に示すように、いずれかの糸保持孔３４ａに糸Ｂを通し、この糸Ｂをいずれかの糸溝３４ｂに沿って配置する。なお、いずれの糸溝３４ｂを使用するかは、作製するアクセサリーの種類等によって見栄えの良い方を選択すればよい。そして、図８（ｂ）に示すように、嵌込部３５を基部３４に嵌め込んで糸Ｂの一端に留具３３を装着する。その後、特に図示しないが、糸Ｂの他端は針状部材２９の糸孔３０に保持されるようにする。
【００７１】
このようにして留具３３と針状部材２９とを糸Ｂに装着した後、図９（ａ）に示すように、被保持部３１を針保持部１９に保持させて、針状部材２９を本体１１に装着する。この状態で回転レバー２１を回転させると、回転板２２がビーズ収容部１２内で水平方向に回転し、ビーズ収容部１２に収容されたビーズＡが排出口１３ｂに導かれる。そして、前述したように、排出口１３ｂから落下したビーズＡは、回転部材１７のビーズ貫通軸１７ａに貫通保持される。
【００７２】
更に回転レバー２１を回転させると、図９（ｂ）に示すように、回転部材１７が回転し、ビーズ貫通軸１７ａに貫通保持されたビーズＡが回転部材１７と一緒に回転する。
【００７３】
更に回転レバー２１を回転させると、図９（ｃ）に示すように、ビーズＡを貫通保持したビーズ貫通軸１７ａが下方を向くため、ビーズＡが下方向へと落下する。このとき、下方を向いたビーズ貫通軸１７ａと同軸となるように針状部材２９の針先部３２が上方を向いているため、下方向へと落下したビーズＡは針先部３２で貫通保持される。なお、このとき、針先端固定部１８が針先部３２を保持することで、確実にビーズ貫通軸１７ａと針状部材２９とが同軸となるようになっている。
【００７４】
更に回転レバー２１を回転させると、図９（ｄ）に示すように、針先部３２を保持していた針先端固定部１８が開き、ビーズＡが針状部材２９に貫通されたまま下方に落下する。落下したビーズＡは針保持部１９の上に載った状態となる。
【００７５】
このようにビーズＡを順次針状部材２９に通していき、図９（ｅ）に示すように、針状部材２９を本体１１から取り外せば、ビーズＡは留具３３に留められて糸Ｂに通される。そして、糸Ｂの自由端を留具３３の空いている方の糸保持孔３４ａで保持するようにすれば、首輪や腕輪などのビーズアクセサリーが完成する。
【００７６】
上記したように、本実施形態によれば、回転板２２が周方向に複数の突出部２４を有するとともに、この複数の突出部２４のうちの１以上の突出部２４ａの形状は、他の突出部２４ｂの形状と異なっている。このため、回転板２２を回転させたときに回転板２２の突出部２４が不規則にビーズを撹拌するので、撹拌されて流動するビーズの軌道を不規則に変化させることができ、ビーズをうまく排出口１３ｂに導くことができる。
【００７７】
また、回転板２２の表面には複数の段差が設けられているため、より激しくビーズ収容部１２内のビーズを動かすことができ、流動するビーズの軌道を変化させてうまく排出口１３ｂに導くことができる。
【００７８】
また、ビーズ収容部１２は、隔壁２０ｂを有する部屋形成部材２０により複数の部屋に分割され、前記部屋形成部材２０は、前記回転板２２と別個に回転可能に形成され、部屋形成部材２０を回転させて複数の部屋のうちの任意の部屋の底部１３に排出口１３ｂを配置することで、この任意の部屋に収容されたビーズを排出口１３ｂから排出可能となっている。このため、各部屋に異なる種類のビーズを収容するとともに、選んだ部屋に収容されているビーズを通すことができるので、デザインを考慮しながらビーズアクセサリーを作ることができる。しかも、このように複数の部屋に分割したことによりビーズ収容部１２が大きくなった場合でも、上述したようにビーズ収容部１２内のビーズが激しく動かすことができるため、ビーズ収容部１２を大きくしてもビーズが排出口１３ｂに入りにくくなるという問題が発生しないようになっている。
【００７９】
また、部屋形成部材２０を回転させたときに、複数の部屋のいずれかの底部１３に排出口１３ｂが位置するようにビーズ収容部１２の回転を規制する回転規制部１４、２０ｄが設けられているため、回転板２２を回転させたときに、その摩擦で一緒に部屋形成部材２０が回転しないようになっており、選んだ部屋に収容されているビーズを確実に排出口１３ｂから排出して通すことができる。
【符号の説明】
【００８０】
１０  ビーズ通し玩具
１１  本体
１２  ビーズ収容部
１３  底部
１３ａ  傾斜部
１３ｂ  排出口
１４  凹部（回転規制部）
１５  周突起
１６  透視窓
１７  回転部材
１７ａ  ビーズ貫通軸
１８  針先端固定部
１９  針保持部
２０  部屋形成部材
２０ａ  周壁
２０ｂ  隔壁
２０ｃ  周溝
２０ｄ  凸部（回転規制部）
２０ｅ  軸支孔
２１  回転レバー
２１ａ  軸部
２２  回転板
２３  軸係合部
２４  突出部
２４ａ  小突出部
２４ｂ  大突出部
２５  上平坦部
２６  上傾斜部
２７  下平坦部
２８  下傾斜部
２９  針状部材（糸保持手段）
３０  糸孔
３０ａ  拡開部
３０ｂ  幅狭部
３１  被保持部
３２  針先部
３３  留具
３４  基部
３４ａ  糸保持孔
３４ｂ  糸溝
３４ｃ  差込孔
３５  嵌込部
３５ａ  糸保持突起
３５ｂ  差込突起
Ａ  ビーズ
Ｂ  糸
【図１】
0003164961.tif 000003
【図２】
0003164961.tif 000004
【図３】
0003164961.tif 000005
【図４】
0003164961.tif 000006
【図５】
0003164961.tif 000007
【図６】
0003164961.tif 000008
【図７】
0003164961.tif 000009
【図８】
0003164961.tif 000010
【図９】
0003164961.tif 000011
【図１０】
0003164961.tif 000012
【図１１】
0003164961.tif 000013
【図１２】
0003164961.tif 000014